(57)【要約】【課題】  被加工対象物である紙材などに、レリーフ状の凹凸模様を容易に形成することが形成されたレリーフ状の凹凸模様に対して、容易に彩色できるエンボス加工用押し型を提供する。【解決手段】凹型を貼着した凹型側頁の一端と、凸型を貼着した凸型側頁の一端とを接続して開閉自在に構成したエンボス加工用の押し型であって、該凹型が切りぬき模様で形成され、該凹型側頁に切り込みを入れて開閉自在のハッチ状部を形成し、被加工材を挟んだ状態で該ハッチ状部を開けて、該凹型を遮蔽板として、形成される凹凸模様に彩色できるように構成する。【選択図】  図１
0003125849.tif 000002
【実用新案登録請求の範囲】
【請求項１】
凹型を貼着した凹型側頁の一端と、凸型を貼着した凸型側頁の一端とを接続して開閉自在に構成したエンボス加工用の押し型であって、
該凹型が切りぬき模様で形成され、該凹型側頁に切り込みを入れて開閉自在のハッチ状部を形成し、
被加工材を挟んだ状態で該ハッチ状部を開けて、該凹型を遮蔽板として、形成される凹凸模様に彩色できるように構成することを特徴とするエンボス加工用の押し型。
【請求項２】
前記エンボス加工用の押し型に、さらに彩色シートを開閉自在に設け、かつ該ハッチ状部を切り離し該彩色シートに貼着することを特徴とする請求項１に記載のエンボス加工用の押し型。
【請求項３】
前記凹型側頁に形成するハッチ状部を切り離し、該凹型上から彩色できるように構成することを特徴とする請求項１に記載のエンボス加工用の押し型。
【請求項４】
前記凹型側頁に形成するハッチ状部を切り離し、さらに彩色シートを開閉自在に設け、かつ該ハッチ状部を切り離すことを特徴とする請求項２に記載のエンボス加工用の押し型。
【考案の詳細な説明】
【技術分野】
【０００１】
この考案は、ペーパークラフト用の押し型に関し、特にエンボス加工を行い、かつ直接彩色できるエンボス用の押し型に関する。
【背景技術】
【０００２】
本願考案者はかつて、従来の手工芸品として紙材、もしくは金属フィルムにエンボス加工を行う技術に基づいて、エッチングを施したフィルム状の押し型を考案したことがある。該押し型は、プラスチックなどの透過性の材質によるシートで蝶番のように自在に開閉する支持具を構成し、該支持具にエンボス加工を行うための押し型を設けてなり、ペーパークラフト用のエンボス加工押し型セットとして市場に供給した。その結果、該エンボス加工押し型セットは、押し型の厚さが１ミリメートルしかなく、かつエンボス加工押し型セット自体が弾性を具えるとともに、エンボス加工によって美しい凹凸模様を形成できることから、手工芸品業界で好評を博し、瞬く間に市場の主要な商品となった。
【０００３】
従来のエンボス加工用押し型は、オス型とメス型を正確に合わせなければならなかった。係る作業は専門的な技術や、テクニック、観察力を必要とするため、初心者にとって難しい。しかしながら、上述するエンボス加工用押し型セットは、加工作業が容易で、かかる問題を改善した。この点が使用者に喜ばれている。即ち支持具を開いて加工する紙材をセットし、支持具を閉じるだけでエンボス加工を完成させることができ、速く、正確にエンボス加工することができる。エンボス加工によって形成された模様は、細い線などの細部も美しく表現できる。これは、「手工芸品は洗練された技巧からしか生まれない」という従来の保守的な概念を大きく変えるものである。
【０００４】
しかしながら、本願考案者は前述するエンボス加工用押し型を商品化する過程において、エンボス加工したペーパークラフトには彩色することもでき、係る機能は別途ニーズとなり得る点に着眼した。ペーパークラフトの領域においては、エンボス加工したクラフトはいずれも単色か、または、はっきりと彩色できないものであって、この点が多くのペーパークラフトの製作者にとって問題となっている。言いかえれば、従来のエンボス加工技術では、輪郭の凹凸を明らかに表し、レリーフの造形美を表現した作品を得ることができない。このため、過去から現在に至るまで、単色で輪郭のはっきりしない拓印式のエンボス加工が習慣的になっている。但し、エンボス加工したペーパークラフトに彩色し、新たな表現を求めたいという趣向が芸術家の心に芽生えていることも事実である。
【０００５】
工業製品で、彩色されたエンボス加工品は、通常予めパターンに彩色し、押し型でエンボス加工を行う。かかる作業は、彩色したパターン上に凹凸を正確に表現させるために正確な設計、操作のテクニックを必要とする。但し、実際には、必ずしも正確無比にエンボス加工を行うことができるわけでもなく、また多少のずれなどは直視することなく、不正確の方が却って自然に見えるなどとごまかしているというのが現状である。
【０００６】
エンボス加工した作品に彩色しない理由を考えれば、一つには従来の技術によれば輪郭がはっきりとしない点が挙げられる。また、エンボス加工を施した後の凹凸模様が安定しない点も挙げることができる。紙材などに施した凹凸模様は、湿気、圧力などの影響で容易に破壊される。このため、ペーパークラフトにおいて、エンボス加工と彩色は並存しがたいものと思われている。
【０００７】
上述する本願考案者の開発したペーパークラフト用のエンボス加工押し型セットは、凹凸模様をはっきりと表現することができるため、従来の技術に見られるように輪郭がはっきりせず、どこから彩色してよいかわからないという問題を改善することができる。但し、エンボス加工した作品に彩色しようとすれば、加工した作品を取出して手作業で彩色しなければならない。かかる作業には観察力、彩色のテクニックなどを必要とするため、例えば初心者にとっては難しい作業であって、かつ作業に時間がかかる。よって、彩色の問題を如何にして解決するかが課題となる。
【考案の開示】
【考案が解決しようとする課題】
【０００８】
この考案は、被加工対象物である紙材などに、レリーフ状の凹凸模様を容易に形成することができるエンボス加工用押し型を提供することを課題とする。
【０００９】
また、この考案は、輪郭がはっきりし、かつ細部の模様も表現できるとともに、形成されたレリーフ状の凹凸模様に対して、容易に彩色できるエンボス加工用押し型を提供することを課題とする。
【課題を解決するための手段】
【００１０】
そこで、本考案者は従来の技術に見られる欠点に鑑みて鋭意研究を重ねた結果、凹型を貼着した凹型側頁の一端と、凸型を貼着した凸型側頁の一端とを接続して開閉自在に構成したエンボス加工用の押し型であって、該凹型が切りぬき模様で形成され、該凹型側頁に切り込みを入れて開閉自在のハッチ状部を形成し、被加工材を挟んだ状態で該ハッチ状部を開けて、該凹型を遮蔽板として、形成される凹凸模様に彩色できるように構成したエンボス加工用の押し型によって課題を解決できる点に着眼し、係る知見に基づいて本考案を完成させた。
【００１１】
以下、本考案について具体的に説明する。
請求項１に記載するエンボス加工用の押し型は、凹型を貼着した凹型側頁の一端と、凸型を貼着した凸型側頁の一端とを接続して開閉自在に構成したエンボス加工用の押し型であって、
該凹型が切りぬき模様で形成され、該凹型側頁に切り込みを入れて開閉自在のハッチ状部を形成し、
被加工材を挟んだ状態で該ハッチ状部を開けて、該凹型を遮蔽板として、形成される凹凸模様に彩色できるように構成する。
【００１２】
請求項２に記載するエンボス加工用の押し型は、請求項１におけるエンボス加工用の押し型に、さらに彩色シートを開閉自在に設け、かつ該ハッチ状部を切り離し該彩色シートに貼着する。
【００１３】
請求項３に記載するエンボス加工用の押し型は、請求項１における凹型側頁に形成するハッチ状部を切り離し、該凹型上から彩色できるように構成する。
【００１４】
請求項４に記載するエンボス加工用の押し型は、請求項２における凹型側頁に形成するハッチ状部を切り離し、さらに彩色シートを開閉自在に設け、かつ該ハッチ状部を切り離す。
【考案の効果】
【００１５】
この考案によるエンボス加工用の押し型は、被加工対象物である紙材などに、輪郭のはっきりしたレリーフ状の凹凸模様を容易に形成することができ、かつ容易に彩色することができるため、ペーパークラフトの領域において、エンボス加工した作品の表現の幅を広げることができるという利点を有する。
【考案を実施するための最良の形態】
【００１６】
この考案によるエンボス用押し型の支持フレームは、図１に開示するように、凹型３を貼着した凹型側頁１の一端と、凸型４を貼着した凸型側頁２の一端とを、折り線５の位置で接着し、他端を開閉自在にする。よって、凹型３と凸型４とが容易に開閉し、紙材の被加工物を容易に出し入れできるとともに、凹型３と凸型４とが正確に合わさる位置を維持することができる。
【００１７】
図２は、この考案による開閉式押し型を開閉する動作を示した説明図である。図面によれば、凹型側頁１の一端と凸型側頁２の一端とを折り線５の位置で接着して、開閉自在の押し型構成する。次いで、凹型３を凹型側頁１に、凸型４を凸型側頁２に貼着する。この場合、接着剤を塗布して貼着するが、接着剤を貼着面いっぱいに塗布したり、四辺のいずれにも均一に塗布したりすると、後述するハッチ状部６を設けることができなくなる、即ち、本考案の目的を達成することができなくなる。
【００１８】
図３は、この考案によるエンボス加工用押し型の使用態様を示した説明図である。図面によれば、凹型側頁１にはコの字状に切り込みを入れてハッチ状部を形成する。ハッチ状部６を開けると、押し型の切りぬき模様を含む凹型のほとんどの部分が露出する。よって、被加工物である紙材７を押し型に挟んだ状態でハッチ状部６を開けると、凹型３の切りぬき模様、即ち凸型４に押されて浮き上がった模様が露出する。このため、押し型から取出す前に、模様に彩色することができる。
【００１９】
図４は、この考案によるエンボス加工用押し型の断面図である。押し型の凹型側頁１と凸型側頁２にはそれぞれ凹型３と凸型４を貼着する。被加工物である紙材７を凹型３と凸型４との間に挟んで押し圧すると、凸型４のエンボス模様４１が紙材７を押し上げ、凹型３の切りぬき模様３１に対応する位置に模様が浮き上がる。また、凸型４の模様のない凸型座４２と凹型の切りぬき模様のない本体部分に押し圧される部分は、平面状を保持する。
【００２０】
上述の状態でハッチ状部６を開けると、紙材７に形成されたエンボス模様４１が凹型３の切りぬき模様３１に現われる。よって、凹型３を遮蔽板として彩色することができる。彩色する場合、含量が凹型３に付着するが、凸型４と凹型３のいずれにも表面処理を行えば、付着した含量を拭き取ることができ、継続して押し圧することができる。
【００２１】
図５に、この考案によるエンボス加工用押し型によって形成したエンボス模様の一例を開示する。
【００２２】
図６に、この考案によるエンボス加工用押し型の他の実施形態を開示する。この実施形態では、彩色する場合さらに便利になるように、彩色シート８を設ける。本来のハッチ状部６は切り離して、本来の位置に対応するように彩色シート８上貼着する。よって、彩色する場合、頁を開く空間が大きくなり、彩色し易くなる。また、本来のハッチ状部６の部分を切り離して彩色シート８上に貼着する理由は、押し圧する際の厚さと圧力を保持するためである。
【００２３】
図７に、別の実施形態を開示する。この実施形態では、彩色シート８を短くして、押し型の一端に近接した位置を糊しろ線９上に貼着する。
【００２４】
図８は、この考案によるエンボス加工用押し型を押し圧装置で押し圧する状態を示した説明図である。被加工物である紙材７は凹型３と凸型４Ｊとの間に挟まれた状態にあり、押し型全体を開閉自在の押し圧パッド１０内に挟み、押し圧装置１１に入れ、ハンドルを操作して内部に設けたローラを回転させて押し圧し、凹凸模様を形成する。
【００２５】
図９、図１０は、ハッチ状部６を切り離して貼着する方式に係る二種類の実施形態の説明図である。ハッチ状部６は切り離して彩色シート８に貼着して、厚さと押圧力を補償する。押し型の凹型側頁１が、硬質のシート状である場合、ハッチ状部６を切り離して彩色シート８に貼着しなくても、厚さはほぼ変わらない。さらに彩色シート８の厚さを加えた場合、その作用は大幅に低下する。よって、ハッチ状部６を切り離して彩色シート８に貼着しない形態であっても、ハッチ状部６、彩色シート８も含め、いずれも、この考案の実施の範囲に含まれるものとする。
【００２６】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００２７】
【図１】この考案によるエンボス加工用の押し型を示した斜視図である。
【図２】図１に開示するエンボス加工用の押し型の分解図である。
【図３】図１に開示するエンボス加工用の押し型の使用態様を示した説明図である。
【図４】図１に開示するエンボス加工用の押し型の側面図である。
【図５】この考案によるエンボス加工用の押し型で形成したモ尾用の一例を示した説明図である。
【図６】他の実施形態によるエンボス加工用の押し型を示した斜視図である。
【図７】その他の実施形態によるエンボス加工用の押し型を示した斜視図である。
【図８】この考案によるエンボス加工用の押し型を押し圧装置で押し圧する状態を示した説明図である。
【図９】この考案におけるハッチ状部切り取った実施形態の説明図である。
【図１０】この考案におけるハッチ状部切り取った他の実施形態の説明図である。
【符号の説明】
【００２８】
１ 凹型側頁
１０ 押し圧パッド
１１ 押し圧装置
２ 凸型側頁
３ 凹型
３１ 切りぬき模様
４ 凸型
４１ エンボス模様
４２ 凸型座
５ 折り線
６ ハッチ状部
７ 紙材
８ 彩色シート
９ 糊しろ線
【図１】
0003125849.tif 000003
【図２】
0003125849.tif 000004
【図３】
0003125849.tif 000005
【図４】
0003125849.tif 000006
【図５】
0003125849.tif 000007
【図６】
0003125849.tif 000008
【図７】
0003125849.tif 000009
【図８】
0003125849.tif 000010
【図９】
0003125849.tif 000011
【図１０】
0003125849.tif 000012